【手続補正書】
【提出日】平成17年7月13日(2005.7.13)
【手続補正１】
【補正対象書類名】特許請求の範囲
【補正対象項目名】全文
【補正方法】変更
【補正の内容】
【特許請求の範囲】
【請求項１】
第１端末グループのメンバ間、および第２端末グループ間の符号分割多重アクセス通信をサポートするシステムにおける、符号分割多重アクセス通信サポート方法であって、
前記第１端末グループに第１擬似ランダム・ノイズ・コードを割り当てる工程であって、この第１グループの各ユーザが固有のコード位相オフセットにより一義的に識別可能である工程と、
前記第２端末グループにコードを割り当てる工程であって、このコードが前記第１擬似ランダム・ノイズであるが、この第２グループの各ユーザはこのコードの固有の位相オフセットを共有する工程と、
前記第２グループの各端末に直交拡散コードを割り当てる工程であって、この直交拡散コードが前記第１擬似ランダム・ノイズ・コードのチップ・レートよりも低いチップ・レートを有する工程とを備えた、符号分割多重アクセス通信サポート方法。
【請求項２】
請求項１において、前記直交拡散コードがウォルシュ・コードである、符号分割多重アクセス通信サポート方法。
【請求項３】
請求項１において、前記直交拡散コードが、各端末と基地局との間の個々の論理チャネルを一義的に定義できるように、固有である、符号分割多重アクセス通信サポート方法。
【請求項４】
請求項１において、近直交拡散コードが前記直交拡散コードの代わりに用いられる、符号分割多重アクセス通信サポート方法。
【請求項５】
請求項１において、さらに、
後続の通信のタイミングを進ませるかまたは遅らせるかを基地局が各端末に指示できるようにするフィードバック・チャネルを前記第２グループの各端末に割り当てる工程を備えた、符号分割多重アクセス通信サポート方法。
【請求項６】
請求項５において、前記フィードバック・チャネルが、チャネル・ノイズ情報および同期化情報のいずれか一方またはこれらの組合せを端末に伝送する、符号分割多重アクセス通信サポート方法。
【請求項７】
請求項１において、端末の前記直交拡散コードのチップ・レートがその端末の変調シンボル・レートに比例する、符号分割多重アクセス通信サポート方法。
【請求項８】
請求項７において、適応変調方式が端末によって用いられ、前記直交拡散コードのチップ・レートが適応変調シンボル・レートに一致する、符号分割多重アクセス通信サポート方法。
【請求項９】
請求項８において、基地局から端末にフィードバック・メッセージで送信される基地局におけるＣ／Ｉ測定に基づいて、前記端末変調レートが決定される、符号分割多重アクセス通信サポート方法。
【請求項１０】
請求項８において、基地局から端末にフィードバック・メッセージで送信される基地局におけるＣ／Ｉ測定に基づいて、端末順方向誤り訂正レートが決定される、符号分割多重アクセス通信サポート方法。
【請求項１１】
請求項１において、さらに、
端末に追加の擬似ランダム・ノイズ拡散コードを割り当てる工程を備えた、符号分割多重アクセス通信サポート方法。
【請求項１２】
請求項１１において、前記直交拡散コードのチップ・レートが前記追加の擬似ランダム・ノイズ拡散コードのチップ・レートよりも低い、符号分割多重アクセス通信サポート方法。
【請求項１３】
請求項１において、ＣＤＭＡネットワークの順方向リンクおよび逆方向リンクのいずれか一方またはこれらの組合せに適用される、符号分割多重アクセス通信サポート方法。
【請求項１４】
第１アクセス・ユニット・セットおよび第２アクセス・ユニット・セットを備えたワイヤレス通信システムであって、
前記第１アクセス・ユニット・セットおよび前記第２アクセス・ユニット・セットが基地局と通信可能であり、
前記第１アクセス・ユニット・セットが第１チップ・レートで擬似ランダム・ノイズ・コードを用いて、これらユニットのユーザ・チャネルを分離し、前記第１アクセス・ユニット・セットの個別ユニットのそれぞれが、固有位相シフトを伴う擬似ランダム・ノイズ系列を少なくとも１つ有し、
前記第２アクセス・ユニット・グループが、前記第１アクセス・ユニット・グループで使用されない第１チップ・レートの擬似ランダム・ノイズ・コードを共有し、前記第２アクセス・ユニット・セットの個別ユニットのそれぞれが、第１チップ・レートよりも低いチップ・レートの直交拡散コードを少なくとも１つ有する、ワイヤレス通信システム。
【請求項１５】
請求項１４において、前記直交拡散コードがウォルシュ・コードである、ワイヤレス通信システム。
【請求項１６】
請求項１４において、各端末と基地局の間の前記直交拡散コードが、個々の論理チャネルを一義的に定義できるように、固有である、ワイヤレス通信システム。
【請求項１７】
請求項１４において、近直交拡散コードが前記直交拡散コードの代わりに用いられる、ワイヤレス通信システム。
【請求項１８】
請求項１４において、後続の通信のタイミングを進ませるかまたは遅らせるかを基地局が各端末に指示できるようにするフィードバック・チャネルが、前記第２グループの各端末に割り当てられる、ワイヤレス通信システム。
【請求項１９】
請求項１８において、前記フィードバック・チャネルが、チャネル・ノイズ情報および同期化情報のいずれか一方またはこれらの組合せを端末に伝送する、ワイヤレス通信システム。
【請求項２０】
請求項１４において、端末の前記直交拡散コードのチップ・レートがその端末の変調シンボル・レートに比例する、ワイヤレス通信システム。
【請求項２１】
請求項２０において、適応変調方式が端末によって用いられ、前記直交拡散コードのチップ・レートが適応変調シンボル・レートに一致する、ワイヤレス通信システム。
【請求項２２】
請求項２１において、基地局から端末にフィードバック・メッセージで送信される基地局におけるＣ／Ｉ測定に基づいて、前記端末変調レートが決定される、ワイヤレス通信システム。
【請求項２３】
請求項２１において、基地局から端末にフィードバック・メッセージで送信される基地局におけるＣ／Ｉ測定に基づいて、端末順方向誤り訂正レートが決定される、ワイヤレス通信システム。
【請求項２４】
請求項１４において、追加の擬似ランダム・ノイズ拡散コードが端末に割り当てられる、ワイヤレス通信システム。
【請求項２５】
請求項２４において、前記直交拡散コードのチップ・レートが前記追加の擬似ランダム・ノイズ拡散コードのチップ・レートよりも低い、ワイヤレス通信システム。
【請求項２６】
請求項１４において、基地局および端末がＣＤＭＡネットワークで動作する、ワイヤレス通信システム。
【請求項２７】
第１端末グループのメンバ間、および第２端末グループ間の符号分割多重アクセス通信をサポートするシステムであって、
前記第１端末グループに第１擬似ランダム・ノイズ・コードを割り当てる手段であって、この第１グループの各ユーザが固有のコード位相オフセットにより一義的に識別可能である手段と、
前記第２端末グループにコードを割り当てる手段であって、このコードが前記第１グループで使用されるコードと同一であるが、第２グループの各ユーザはそのコードの共通の位相オフセットを使用する手段と、
前記第２グループの各端末に直交拡散コードを割り当てる手段であって、この直交拡散コードが第１擬似ランダム・ノイズ・コードのチップ・レートよりも低いチップ・レートを有する手段とを備えた、符号分割多重アクセス通信サポート・システム。